(57)【要約】【課題】  成形物の表層に生じるスキン層を減少させることで、ゴルフボールの耐久性を向上させることができるゴルフボールの成形方法およびそれに用いる成形用金型を提供する。【解決手段】  ゴルフボールの成形用金型は、金型本体に設けられた可動式のホールドピン６を備え、このホールドピンはその先端に、少なくとも０．２ｍｍの深さＤ１を有する窪み部６２を有し、この窪み部は、ホールドピンの先端面に窪み部が無かったとした仮想表面６４の全面積に対して少なくとも０．２％の面積に形成される。ゴルフボールの成形方法は、成形されるべきゴルフボールの層の材料を金型内に注入して芯材の外周に層を形成する際に、材料の注入に合せて、ホールドピン６をキャビティ内から引き抜き、その先端の窪み部６２によって、層の表面から突出する突出部分を形成するステップを含む。その後、突出部分は除去する。【選択図】  図３
2015000335.tif 000002
【特許請求の範囲】
【請求項１】
ゴルフボールの成形方法であって、
ゴルフボールのコアを少なくとも備える芯材を、金型のキャビティ内に提供するステップであって、前記金型が前記芯材を支持するための可動式のホールドピンを備えるものであるステップと、
前記金型のキャビティ内に、成形されるべきゴルフボールの層の材料を注入し、前記芯材の外周に層を形成するステップと、
前記材料の注入に合せて、前記ホールドピンを前記キャビティ内から引き抜くステップであって、その際、前記ホールドピンの先端によって、前記形成される層の表面から突出する突出部分が形成され、この突出部分は、前記ホールドピンの先端面の全面積に対して少なくとも０．２％の面積に形成され、且つ少なくとも０．２ｍｍの高さを有するものであるステップと
を含む方法。
【請求項２】
前記突出部分は、前記ホールドピンの先端面の全面積に対して少なくとも１．０％の面積に形成され、且つ少なくとも０．３ｍｍの高さを有するものである請求項１に記載の方法。
【請求項３】
前記突出部分は、前記ホールドピンの先端面の全面積に対して形成される請求項１に記載の方法。
【請求項４】
前記突出部分の数は、ゴルフボール全体で２〜２０個の範囲である請求項１〜３のいずれか一項に記載の方法。
【請求項５】
前記突出部分を除去するステップを更に含む請求項１〜４のいずれか一項に記載の方法。
【請求項６】
インジェクション成形法、プレス成形法、および注型成形法からなる群から選ばれるいずれかの成形法によって、前記層を形成する請求項１〜５のいずれか一項に記載の方法。
【請求項７】
前記材料は、キャピログラフによって測定される溶融粘度が、２３０℃で少なくとも１．０Ｐａ・ｓである高分子材料である請求項１〜６のいずれか一項に記載の方法。
【請求項８】
ゴルフボールの成形用の金型であって、
少なくとも２つの金型本体であって、ゴルフボールを成形するためのキャビティがこれら本体の接合により形成される金型本体と、
前記金型本体の少なくとも１つに設けられた可動式のホールドピンであって、このホールドピンはその先端に窪み部を有し、この窪み部は、前記ホールドピンの先端面に前記窪み部が無かったとした仮想表面の全面積に対して少なくとも０．２％の面積に形成され、且つ少なくとも０．２ｍｍの深さを有するホールドピンと
を備える金型。
【請求項９】
前記窪み部は、前記ホールドピンの仮想表面の全面積に対して少なくとも１．０％の面積に形成され、且つ少なくとも０．３ｍｍの深さを有する請求項８に記載の金型。
【請求項１０】
前記ホールドピンの数は、金型全体で２〜２０個の範囲である請求項８又は９に記載の金型。
【発明の詳細な説明】
【技術分野】
【０００１】
本発明は、ゴルフボールの成形方法およびそれに用いる成形用金型に関する。
【０００２】
ゴルフボールを製造する方法として、特許第３３１９７０８号公報には、従来技術として、層を設けるときは、それよりも内側の部分である内核を別に加硫成形してから、それを金型内の所定の位置に可動ホールドピンなどで固定し、外層を形成する材料を射出成形機またはトランスファー金型により射出すると共に適当なタイミングでホールドピンを引き抜いて、そのまま加硫成形する方法が記載されている。そして、このようなピンを用いた成形法では工程や金型の構造が煩雑となりコスト増を招くことから、この公報では、ホールドピンを用いない方法として、未加硫材料を半加硫して半球殻状の外層半割体を形成し、その後、未加硫の内層形成材を一対の上記半加硫の外層半割体にて挾んで加硫プレス成形して外層と内層から成るゴルフボールを形成する方法が提案されている。
【０００３】
また、特許第３６６３５８０号公報には、未加硫材料を半加硫ないし加硫して半球殻状の外層半割体を形成した後、未加硫の内層形成材を一対の上記外層半割体にて挾んで加硫プレス成形して外層と内層から成るゴルフボールを形成すると同時に、外層半割体の間に内層形成材を流し込ませ外層のシーム部の少なくとも一部に上記内層が貫通又は食い込んだ侵出部分を形成し、貫通又は食い込んだ侵出部分の体積を、外層が完全な球殻であると仮想した場合の体積の１／３００〜１／５とするゴルフボールの製造方法が記載されている。
【０００４】
特許第４０１９２４２号公報には、コアに少なくとも最外層カバー及びこれらに挟まれる中間層カバーを被覆した多層ゴルフボールの製造方法であって、上下分割金型を用いて金型内にコア又は中間層カバーを被覆した球体を配備し、その周囲にカバー材料をインジェクション成型し、１．１ｍｍ以上の厚さに球状に成型した後、その表面を切削代０．３〜２ｍｍとなるように切削加工して上記中間層カバー又は最外層カバーの製品厚さを１ｍｍ以下とした球体を得るというゴルフボールの製造方法が記載されている。
【先行技術文献】
【特許文献】
【０００５】
【特許文献１】特許第３３１９７０８号公報
【特許文献２】特許第３６６３５８０号公報
【特許文献３】特許第４０１９２４２号公報
【発明の概要】
【発明が解決しようとする課題】
【０００６】
ゴルフボールを成形する金型に備えられる可動式ホールドピンの役割は、コアの偏芯を防止することや、成形完了後の脱型補助が挙げられる。可動式ホールドピンは、その役割ゆえ、芯材に対して最後まで接している必要がある。金型内に注入される内層または外層の材料は高温である一方、ホールドピン自体の温度は低温であることから、形成される成形物に界面が生じ、特に表層付近には大きなスキン層が生じる要因になっている。特に表層に生じたスキン層は、耐久性を低下させる要因となっている。
【０００７】
本発明は、上記の問題点に鑑み、成形物の表層に生じるスキン層を減少させることで、ゴルフボールの耐久性を向上させることができるゴルフボールの成形方法およびそれに用いる成形用金型を提供することを目的とする。
【課題を解決するための手段】
【０００８】
上記目的を達成するため、本発明は、その一態様として、ゴルフボールの成形方法であって、ゴルフボールのコアを少なくとも備える芯材を、金型のキャビティ内に提供するステップであって、前記金型が前記芯材を支持するための可動式のホールドピンを備えるものであるステップと、前記金型のキャビティ内に、成形されるべきゴルフボールの層の材料を注入し、前記芯材の外周に層を形成するステップと、前記材料の注入に合せて、前記ホールドピンを前記キャビティ内から引き抜くステップであって、その際、前記ホールドピンの先端によって、前記形成される層の表面から突出する突出部分が形成され、この突出部分は、前記ホールドピンの先端面の全面積に対して少なくとも０．２％の面積に形成され、且つ少なくとも０．２ｍｍの高さを有するものであるステップとを含む。
【０００９】
前記突出部分は、好ましくは、前記ホールドピンの先端面の全面積に対して少なくとも１．０％の面積に形成され、且つ少なくとも０．３ｍｍの高さを有する。前記突出部分は、前記ホールドピンの先端面の全面積に対して形成されてもよい。前記突出部分の数は、ゴルフボール全体で２〜２０個の範囲でよい。
【００１０】
本発明の方法は、前記突出部分を除去するステップを更に含むことができる。本発明は、インジェクション成形法または注型成形法の成形法によって、前記層を形成することができる。
【００１１】
前記材料は、キャピログラフによって測定される溶融粘度が、２３０℃で少なくとも１．０Ｐａ・ｓである高分子材料であることが好ましい。
【００１２】
また、本発明は、別の態様として、ゴルフボールの成形用の金型であって、少なくとも２つの金型本体であって、ゴルフボールを成形するためのキャビティがこれら本体の接合により形成される金型本体と、前記金型本体の少なくとも１つに設けられた可動式のホールドピンであって、このホールドピンはその先端に窪み部を有し、この窪み部は、前記ホールドピンの先端面に前記窪み部が無かったとした仮想表面の全面積に対して少なくとも０．２％の面積に形成され、且つ少なくとも０．２ｍｍの深さを有するホールドピンとを備える。
【００１３】
前記窪み部は、前記ホールドピンの仮想表面の全面積に対して少なくとも１．０％の面積に形成され、且つ少なくとも０．３ｍｍの深さを有することが好ましい。前記ホールドピンの数は、金型全体で２〜２０個の範囲でよい。
【発明の効果】
【００１４】
本発明によれば、ホールドピンの先端に所定の大きさの窪み部を設けることで、この窪み部によって、成形物の表面から突出する突出部分を形成し、耐久性を低下させる原因となるスキン層をこの突出部分に含め、成形物の表層におけるスキン層を減少させることで、ゴルフボールの耐久性を向上させることができる。
【図面の簡単な説明】
【００１５】
【図１】本発明に係るゴルフボールの成形方法に用いる金型の一例を示す断面図である。
【図２】本発明に係るゴルフボールの成形方法の一実施の形態を説明するための図１の金型のホールドピン及びその収容孔の先端部分を示す拡大断面図である。
【図３】本発明に係るゴルフボールの成形用金型の一実施の形態であって、金型のホールドピン及びその収容孔の先端部分を示す拡大断面図である。
【図４】図３に示すホールドピンの先端拡大平面図である。
【図５】Ａ〜Ｌはそれぞれ、他の実施形態のおけるホールドピンの先端拡大平面図である。
【発明を実施するための形態】
【００１６】
以下、添付図面を参照しながら、本発明に係るゴルフボールの成形方法およびそれに使用する成形用金型の実施の形態について詳細に説明する。なお、図面は、本発明をわかりやすく説明するために、必ずしも縮尺通りに描かれていない。
【００１７】
図１に示すように、インジェクション成形法によりゴルフボールを製造するために、成形用金型１を用いる。なお、以下、コアの外周に複数層を有するゴルフボールの外層（カバー）を形成する場合について説明するが、本発明はこれに限定されず、この複数層を有するゴルフボールの内層（中間層）を形成する場合に適用することもできるし、コアの外周に単層を有するゴルフボールの単層を形成する場合に適用することもできる。
【００１８】
成形用金型１は、金属製の上型２と下型３を備える。上型２と下型３を分離可能に接合することにより、内部に球状のキャビティ４が形成される。成形用金型１のキャビティ壁面７には、ゴルフボールの表面（すなわち、カバー表面）にディンプルを型付けするための突起（図示せず）が多数配置される。上型２及び下型３の分割面ＰＬは、キャビティの赤道に対応する位置となる。
【００１９】
成形用金型１は、この分割面ＰＬと直交する方向に延びるガスベントピン５と可動式のホールドピン６を備える。ガスベントピン５は、キャビティ４の北極点及び南極点の位置し、キャビティ４内のガスを抜くためのものである。ガスベントピン５は、その収容孔に収まっている。
【００２０】
ホールドピン６は、その収容孔内で進退可能に設けられており、ホールドピン６をキャビティ４内に進出させることにより、芯材１１をキャビティ４の中央部で保持するためのものである。ホールドピン６は、芯材１１が安定するように芯材１１を支持するのに必要な本数を配置することができる。ホールドピン６の数は、２本以上が好ましく、４本以上がより好ましく、６本以上が更に好ましい。ホールドピン６の数の上限は、特に限定されないが、２０本以下が好ましく、１６本以下がより好ましく、１０本以下が更に好ましい。なお、芯材１１は、ここでは、コアと、その外周に形成された内層とを備えるものである。
【００２１】
ホールドピン６は、通常、断面円形を有している。ホールドピン６の直径の下限は、特に限定されないが、２．５ｍｍ以上が好ましく、２．８ｍｍ以上がより好ましい。ホールドピン６の直径の上限は、特に限定されないが、２０ｍｍ以下が好ましく、１５ｍｍ以下がより好ましい。
【００２２】
図２に示すように、ホールドピン６本体とその収容孔７１との間のクリアランスは、できるだけ小さくすることが好ましく、クリアランスの上限は、特に限定されないが、３０μｍ以下が好ましく、２０μｍ以下がより好ましい。このクリアランスの下限は、特に限定されないが、５μｍ以上が好ましく、１０μｍがより好ましい。
【００２３】
また、成形用金型１には、分割面ＰＬにおいてキャビティ４を取り巻くようにリング状ランナー８が設けられている。このリング状ランナー８の内周側には、キャビティ４内に開口する成形材料注入ゲート９が、周方向に沿って等間隔に複数設けられている。
【００２４】
このような構成によれば、先ず、成形用金型１のキャビティ４内に芯材１１を入れ、可動式のホールドピン６によって、芯材１１がゴルフボールの中心に位置するように配置する。次に、芯材１１に外周に形成されるべき外層の材料を、成形材料注入ゲート９を通じてキャビティ４内に射出供給する。外層が成形されるとともに、キャビティ４内に存在するエアと、供給する材料に混じって放出されるガス等の揮発成分が、ガスベントピン５とその収容孔の間隙を通じて成形用金型１の外へと排出される。また、これらエア及び揮発成分は、ホールドピン６とその収容孔７１との間隙を通じても成形用金型１の外へ排出される。
【００２５】
外層材料の射出完了直前に、芯材１１を支持するホールドピン６は、収容孔７１内に引き戻され、射出成形は終了する。この時、図２に示すように、ホールドピン６の先端面６１は、キャビティ壁面７よりも深さＤの位置まで後退するように制御する。このようにホールドピン６の接触部６１がキャビティ壁面７よりも深い位置まで後退することで、キャビティ壁面７によって外層の表面が形成されるとともに、この外層表面から突出した部分が、キャビティ壁面７とピンの先端面６１との間の空間によって形成される。
【００２６】
ここで、外層成形中、射出供給される材料に比べてホールドピン６の温度は低いことから、ホールドピン６に接触した材料の成形物に界面が生じ、特に成形物の表面では、耐久性を低下させる原因となるスキン層となる。本発明では、このようにキャビティ壁面７とピンの先端面６１との間に空間を設け、この空間によって、成形物の突出部分を意図的に形成させている。問題のスキン層はこの突出部分に含まれるため、その後の外層表面を研磨加工や切削加工などの工程によって、スキン層が含まれるこの突出部分を除去することができる。したがって、ゴルフボールの外層表面に形成されるスキン層を小さくしたり、又は無くしたりすることができ、ゴルフボールの耐久性を向上することができる。
【００２７】
このように形成される外層の突出部分は、少なくとも０．２ｍｍ以上の高さを有する。突出部分の高さが０．２ｍｍ未満では、形成されるスキン層がボール表面に多く残ってしまい、十分な耐久性を得ることができない。外層の突出部分の高さは、ホールドピン６の先端面６１の停止位置によって制御することができる。キャビティ壁面７から深さＤの位置でピンの先端面６１を停止させることで、深さＤと同じ高さの突出部分を形成させることができる。
【００２８】
形成される外層の突出部分の高さの下限は、０．３ｍｍ以上が好ましく、０．５ｍｍ以上がより好ましく、５ｍｍ以上が更に好ましい。一方、突出部分の高さの上限は、１０ｍｍ以下が好ましい。高さが１０ｍｍを超えると突出部分が高くなり過ぎるため、簡単にこれを研磨または除去することができず、また、外層の成形後に金型１から成形物を容易に取り出せないおそれがある。突出部分の高さの上限は、７ｍｍ以下がより好ましい。
【００２９】
上述の実施の形態では、ホールドピン６の先端面６１がキャビティ壁面７と面一となる形状を有する場合について説明してきたが、本発明はこれに限定されない。例えば、本発明は、図３及び図４に示すように、ホールドピン６の先端に突起部を有するような金型によっても実施することができる。
【００３０】
この実施の形態によれば、ホールドピン６の先端は、中央部分に位置し、芯材１１と直接的に接触する接触部６３と、その外周部分に位置する窪み部６２を備える。接触部６３の表面は、キャビティ壁面７と面一となる形状を有する。窪み部６２は、ピン先端に窪み部６２が無かったとした仮想先端面６４から、ピンの軸線に沿って窪み部６２表面までの深さＤ１を有する。この窪み部６２の深さＤ１の下限は、少なくとも０．２ｍｍ以上である。窪み部６２の深さＤ１が０．２ｍｍ未満では、この窪み部６２表面とキャビティ壁面７との間の空間によって形成される外層の突出部分が小さく、外層の表面部分にスキン層が多く残ってしまい、十分な耐久性を得ることができない。窪み部６２の深さＤ１の下限は、０．３ｍｍ以上が好ましく、０．５ｍｍ以上がより好ましく、５ｍｍ以上が更に好ましい。一方、窪み部６２の深さＤ１の上限は、１０ｍｍ以下が好ましく、７ｍｍ以下がより好ましい。
【００３１】
窪み部６２は、ホールドピン６の接触部６３の表面の面積が、ホールドピン６の先端に窪み部６２が無かったとした仮想表面の全面積に対して０．２％以上減少するように、窪み部６２を設ける。このピン先端の面積減少率が０．２％未満では、窪み部６２表面とキャビティ壁面７との間の空間によって形成される外層の突出部分が均一に形成されないおそれがあるとともに、ホールドピン６の先端の加工が難しいからである。ピン先端の面積減少率の下限は、０．３％以上が好ましく、１．０％以上がより好ましい。一方、ピン先端の面積減少率の上限は、図２に示す実施の形態のように突出部分の形成の面からは特に限定されるものはないが、ピン先端の加工性の面から、９０％以下が好ましく、８０％以下がより好ましい。
【００３２】
このような窪み部６２および接触部６３を有するホールドピン６によれば、外層材料の射出完了直前に、図３に示すように、接触部６３の表面がキャビティ壁面７と同じ位置まで後退するようにホールドピン６を制御する。これにより、接触部６１表面が、キャビティ壁面７と同様にゴルフボールの外層表面を成形するとともに、キャビティ壁面７と窪み部６２表面との間の空間によって、外層表面から突出する突出部分が形成される。この突出部分に、耐久性を低下させる原因となるスキン層が含まれる。スキン層が含まれるこの突出部分は、その後の外層表面を研磨する等の工程によって、除去される。
【００３３】
本実施の形態によって形成される外層の突出部分は、窪み部６２の深さＤ１と同じ高さを有する。すなわち、０．２ｍｍ以上、好ましくは０．３ｍｍ以上、より好ましくは０．５ｍｍ以上、更に好ましくは５ｍｍ以上の高さを有する突出部分が形成される。また、この突出部分は、ピン中央の接触部６３の外周に、環状に形成される。この突出部分は、窪み部６２表面と同じ面積、すなわち、ホールドピン６の先端に窪み部６２が無かったとした仮想表面の全面積に対して０．２％以上、好ましくは０．３％以上が、より好ましくは１．０％以上の面積に形成される。
【００３４】
図３では、ホールドピン６の窪み部６２表面が、キャビティ壁面７の形状と同様となるように傾斜した形状を有しているが、これに限定されるものではなく、所定の高さを有する突出部分が形成されるような形状を有していればよい。例えば、窪み部６２の表面は、分割面ＰＬと平行となるような水平形状を有するようにしてもよい。
【００３５】
また、図４では、接触部６３の外縁と窪み部６２の外縁が同心円状であるホールドピンの構成を示したが、本発明はこれに限定されるものではない。樹脂の充填不良を防ぐと共に、ディンプル配置や土手部に違和感なく収まる形状とすることが好ましく、射出成形後に窪み部６２にできるスキン層を含む突出部分を容易に除去できる形状とすることが特に好ましい。例えば、図５Ａ〜図５Ｌに示すような接触部６３と窪み部６２の構成を有するホールドピンにすることができる。図５Ａには、接触部６３ａと窪み部６２ａとが偏心円状の場合を示す。図５Ｂには、窪み部６２ｂの外縁が四角形の場合を示す。図５Ｃには、窪み部６２ｃの外縁が切り欠きを有する円状の場合を示す。図５Ｄには、接触部６３ｄ及び窪み部６２ｄの外縁がともに六角形の場合を示す。図５Ｅには、接触部６３ｅの外縁が六角形で窪み部６２ｅの外縁が円形の場合を示す。図５Ｆには、接触部６３ｆの外縁が六角形で窪み部６２ｆの外縁が切り欠きを有する円形の場合を示す。図５Ｇには、接触部６３ｇ及び窪み部６２ｇの外縁がともに五角形の場合を示す。図５Ｈには、接触部６３ｈの外縁が五角形で窪み部６２ｈの外縁が円形の場合を示す。図５Ｉには、接触部６３ｉの外縁が五角形で窪み部６２ｉの外縁が切り欠きを有する円形の場合を示す。図５Ｊには、接触部６３ｊ及び窪み部６２ｊの外縁がともに四角形の場合を示す。図５Ｋには、接触部６３ｋの外縁が四角形で窪み部６２ｋの外縁が円形の場合を示す。図５Ｌには、接触部６３ｌの外縁が四角形で窪み部６２ｌの外縁が切り欠きを有する円形の場合を示す。
【００３６】
また、ゴルフボールの外層を成形する場合について説明してきたが、本発明は複数層構造のゴルフボールの内層を成形する場合についても適用できる。これによって、内層表面に形成されるスキン層を小さくしたり、又は無くしたりすることができるので、その外側に外層が形成される場合であっても、ゴルフボールの耐久性を向上することができる。もちろん、複数層構造のゴルフボールの内層および外層の両方に突出部分を成形することもできる。この場合でも、突出部分は、ホールドピンの先端面の全面積に形成しても、全面積に対して１．０％以上の面積に形成してもよい。
【００３７】
外層の材料の組成は、ゴルフボールの外層に用いられる材料であれば広く採用することができる。同様に、ゴルフボールの内層や単層を形成する場合も、内層や単層の材料の組成は、ゴルフボールの内層や単層に用いられる材料であれば広く採用することができる。外層、内層、単層のいずれの材料でも、キャピログラフによって測定される溶融粘度が、２３０℃で１．０Ｐａ・ｓ以上であることが好ましく、５．０Ｐａ・ｓ以上がより好ましい。溶融粘度が１．０Ｐａ・ｓ未満では、材料が液状化し、成形不良等の原因となってしまう。また、外層、内層、単層の材料は、熱可塑性樹脂、熱硬化性樹脂のどちらでもよいが、熱可塑性樹脂が好ましい。さらにこれらの材料は、非イオン性もしくはイオン性の共重合体、熱可塑性エラストマー、熱可塑性ポリウレタン、またはこれらのブレンドがさらに好ましい。これらの材料には、さらに必要な添加剤を含有してよい。
【実施例】
【００３８】
表１に示すように、ツーピース（２Ｐ）またはスリーピース（３Ｐ）構造のゴルフボールの外層（カバー）または内層（中間層）を成形する際に、その外層または内層の表面に、所定の高さおよび面積を有する突出部分が形成されるようにホールドピンを制御した。表１中の「突出部分の面積比」は、ホールドピンの先端面積に対する割合である。１００％の例は、窪み部のない平坦な先端を有するホールドピンを用いて、所定の高さとなるようにホールドピンの引き抜きを制御した。１００％未満の例は、そのような面積の突出部分が形成されるように、ピンの先端の面積を減少させた窪み部を有するホールドピンを用いた。形成した突出部分は、研磨により除去した。そして、これにより得られたゴルフボールについて、その割れ耐久性を試験した。
【００３９】
割れ耐久性は、Automated Design Corporation製のADC Ball COR Durability Testerによって評価した。ボールを空気圧で発射させた後、平行に設置した２枚の金属板に連続的に衝突させ、ボールが割れるまでに要した発射回数を測定した。
【００４０】
ツーピースの材料としては、ハイミラン１６０１とハイミラン１７０６（ともに三井・デュポンポリケミカル社製のアイオノマー樹脂）を５０ｗｔ％ずつ混合したブレンドを用いた。スリーピースの内層の材料としては、ＨＰＦ１０００（デュポン社製のアイオノマー樹脂）を用い、外層の材料としては、ツーピースと同様に、ハイミラン１６０１とハイミラン１７０６を５０ｗｔ％ずつ混合したブレンドを用いた。
【００４１】
【表１】
2015000335.tif 000003
【００４２】
表１に示すように、先ず、ツーピース構造のゴルフボールにおいて突出部分を全く形成しなかった比較例１では、ゴルフボールも割れ耐久性が８８回であった。これに対し、ホールドピンの先端と同じ面積に０．３〜１．０ｍｍの高さを有する突出部分を形成させた実施例１〜３では、いずれのゴルフボールも割れ耐久性が１３０回以上であり、優れた割れ耐久性を示した。なお、０．１ｍｍの高さを有する突出部分を形成させた比較例２では、ゴルフボールの割れ耐久性は９４回であり、割れ耐久性を大きく向上させることはできなかった。
【００４３】
次に、スリーピース構造のゴルフボールにおいて突出部分を全く形成しなかった比較例３では、ゴルフボールも割れ耐久性が９９回であった。これに対し、スリーピース構造の内層または外層に０．５ｍｍの高さを有する突出部分をそれぞれ形成した実施例４、６では、いずれのゴルフボールも割れ耐久性が１３０回以上であり、優れた割れ耐久性を示した。特に、内層に突出部分を形成した実施例４は、割れ耐久性が２００回以上と飛躍的な向上を示した。また、実施例４、４で形成した突出部分の面積に対してその０．３％の面積に１ｍｍの高さを有する突出部分を内層と外層の両方にそれぞれ形成した実施例５では、割れ耐久性が１５０回以上であり、優れた割れ耐久性を示した。一方、外層に０．１ｍｍの高さを有する突出部分を形成させた比較例４では、割れ耐久性は１０６回であり、割れ耐久性をほとんど向上させることができなかった。
【符号の説明】
【００４４】
１  成形用金型
４  キャビティ
５  ガスベントピン
６  ホールドピン
７  キャビティ壁面
１１  芯材
６１  ピンの先端面
６２  窪み部
６３  接触部
６４  仮想先端面
７１  ホールドピン収容孔
【図１】
2015000335.tif 000004
【図２】
2015000335.tif 000005
【図３】
2015000335.tif 000006
【図４】
2015000335.tif 000007
【図５】
2015000335.tif 000008